(57)【特許請求の範囲】
【請求項１】
基地局装置と通信する移動局装置であって、
ＰＵＳＣＨを用いてトランスポートブロックを前記基地局装置に送信し、
第一のＰＨＩＣＨまたは第二のＰＨＩＣＨを用いて、前記トランスポートブロックに対するＡＣＫ／ＮＡＣＫを前記基地局装置から受信し、
前記第一のＰＨＩＣＨは第一の系列が乗算され、
異なる第一の系列が乗算された、８つまでの前記第一のＰＨＩＣＨが同一の第一のリソースに配置され、
前記第二のＰＨＩＣＨは第二の系列が乗算され、
異なる第二の系列が乗算された、２つまでの前記第二のＰＨＩＣＨが同一の第二のリソースに配置され、
前記第一の系列の長さは４であり、前記第二の系列の長さは１である
ことを特徴とする移動局装置。
【請求項２】
前記同一の第一のリソースに配置される８つまでの第一のＰＨＩＣＨによって、第一のＰＨＩＣＨグループが構成され、
Ng,1は、前記基地局装置から通知される値とし、
NDLRBは、下りリンク帯域幅に含まれる物理リソースブロックの数とし、
ceil（）は、括弧の中の数字より大きく、最も小さい整数を求める関数とし、
次の数式を用いて、前記第一のＰＨＩＣＨグループの数NgroupPHICH,1を算出する請求項１の移動局装置。
【数５】
0005841439.tif 000006
【請求項３】
前記同一の第二のリソースに配置される２つまでの第二のＰＨＩＣＨによって、第二のＰＨＩＣＨグループが構成され、
Ng,2は、前記基地局装置から通知される値とし、
NDLRBは、下りリンク帯域幅に含まれる物理リソースブロックの数とし、
ceil（）は、括弧の中の数字より大きく、最も小さい整数を求める関数とし、
次の数式を用いて、前記第二のＰＨＩＣＨグループの数NgroupPHICH,2を算出する請求項１または請求項２の移動局装置。
【数６】
0005841439.tif 000007
【請求項４】
移動局装置と通信する基地局装置であって、
ＰＵＳＣＨを用いてトランスポートブロックを前記移動局装置から受信し、
第一のＰＨＩＣＨまたは第二のＰＨＩＣＨを用いて、前記トランスポートブロックに対するＡＣＫ／ＮＡＣＫを前記移動局装置に送信し、
前記第一のＰＨＩＣＨに第一の系列を乗算し、
異なる第一の系列が乗算された、８つまでの前記第一のＰＨＩＣＨを同一の第一のリソースに配置し、
前記第二のＰＨＩＣＨに第二の系列を乗算し、
異なる第二の系列が乗算された、２つまでの前記第二のＰＨＩＣＨを同一の第二のリソースに配置し、
前記第一の系列の長さは４であり、前記第二の系列の長さは１である
ことを特徴とする基地局装置。
【請求項５】
前記同一の第一のリソースに配置される８つまでの第一のＰＨＩＣＨによって、第一のＰＨＩＣＨグループが構成され、
Ng,1は、前記移動局装置に通知する値とし、
NDLRBは、下りリンク帯域幅に含まれる物理リソースブロックの数とし、
ceil（）は、括弧の中の数字より大きく、最も小さい整数を求める関数とし、
次の数式を用いて、前記第一のＰＨＩＣＨグループの数NgroupPHICH,1を算出する請求項４の基地局装置。
【数７】
0005841439.tif 000008
【請求項６】
前記同一の第二のリソースに配置される２つまでの第二のＰＨＩＣＨによって、第二のＰＨＩＣＨグループが構成され、
Ng,2は、前記移動局装置に通知する値とし、
NDLRBは、下りリンク帯域幅に含まれる物理リソースブロックの数とし、
ceil（）は、括弧の中の数字より大きく、最も小さい整数を求める関数とし、
次の数式を用いて、前記第二のＰＨＩＣＨグループの数NgroupPHICH,2を算出する請求項４または請求項５の基地局装置。
【数８】
0005841439.tif 000009
【請求項７】
基地局装置と通信する移動局装置に用いられる無線通信方法であって、
ＰＵＳＣＨを用いてトランスポートブロックを前記基地局装置に送信し、
第一のＰＨＩＣＨまたは第二のＰＨＩＣＨを用いて、前記トランスポートブロックに対するＡＣＫ／ＮＡＣＫを前記基地局装置から受信し、
前記第一のＰＨＩＣＨは第一の系列が乗算され、
異なる第一の系列が乗算された、８つまでの前記第一のＰＨＩＣＨが同一の第一のリソースに配置され、
前記第二のＰＨＩＣＨは第二の系列が乗算され、
異なる第二の系列が乗算された、２つまでの前記第二のＰＨＩＣＨが同一の第二のリソースに配置され、
前記第一の系列の長さは４であり、前記第二の系列の長さは１である
ことを特徴とする無線通信方法。
【請求項８】
移動局装置と通信する基地局装置に用いられる無線通信方法であって、
ＰＵＳＣＨを用いてトランスポートブロックを前記移動局装置から受信し、
第一のＰＨＩＣＨまたは第二のＰＨＩＣＨを用いて、前記トランスポートブロックに対するＡＣＫ／ＮＡＣＫを前記移動局装置に送信し、
前記第一のＰＨＩＣＨに第一の系列を乗算し、
異なる第一の系列が乗算された、８つまでの前記第一のＰＨＩＣＨを同一の第一のリソースに配置し、
前記第二のＰＨＩＣＨに第二の系列を乗算し、
異なる第二の系列が乗算された、２つまでの前記第二のＰＨＩＣＨを同一の第二のリソースに配置し、
前記第一の系列の長さは４であり、前記第二の系列の長さは１である
ことを特徴とする無線通信方法。
【請求項９】
基地局装置と通信する移動局装置に実装されることにより、前記移動局装置に複数の機能を発揮させる集積回路であって、
ＰＵＳＣＨを用いてトランスポートブロックを前記基地局装置に送信する機能と、
第一のＰＨＩＣＨまたは第二のＰＨＩＣＨを用いて、前記トランスポートブロックに対するＡＣＫ／ＮＡＣＫを前記基地局装置から受信する機能と、を前記移動局装置に発揮させ、
前記第一のＰＨＩＣＨは第一の系列が乗算され、
異なる第一の系列が乗算された、８つまでの前記第一のＰＨＩＣＨが同一の第一のリソースに配置され、
前記第二のＰＨＩＣＨは第二の系列が乗算され、
異なる第二の系列が乗算された、２つまでの前記第二のＰＨＩＣＨが同一の第二のリソースに配置され、
前記第一の系列の長さは４であり、前記第二の系列の長さは１である
ことを特徴とする集積回路。
【請求項１０】
移動局装置と通信する基地局装置に実装されることにより、前記基地局装置に複数の機能を発揮させる集積回路であって、
ＰＵＳＣＨを用いてトランスポートブロックを前記移動局装置から受信する機能と、
第一のＰＨＩＣＨまたは第二のＰＨＩＣＨを用いて、前記トランスポートブロックに対するＡＣＫ／ＮＡＣＫを前記移動局装置に送信する機能と、
前記第一のＰＨＩＣＨに第一の系列を乗算する機能と、
異なる第一の系列が乗算された、８つまでの前記第一のＰＨＩＣＨを同一の第一のリソースに配置する機能と、
前記第二のＰＨＩＣＨに第二の系列を乗算する機能と、
異なる第二の系列が乗算された、２つまでの前記第二のＰＨＩＣＨを同一の第二のリソースに配置する機能と、を前記移動局装置に発揮させ、
前記第一の系列の長さは４であり、前記第二の系列の長さは１である
ことを特徴とする集積回路。
【請求項１１】
基地局装置と移動局装置が通信する無線通信システムであって、
前記移動局装置は、
ＰＵＳＣＨを用いてトランスポートブロックを前記基地局装置に送信し、
前記基地局装置は、
第一のＰＨＩＣＨまたは第二のＰＨＩＣＨを用いて、前記トランスポートブロックに対するＡＣＫ／ＮＡＣＫを前記移動局装置に送信し、
前記第一のＰＨＩＣＨに第一の系列を乗算し、
異なる第一の系列が乗算された、８つまでの前記第一のＰＨＩＣＨを同一の第一のリソースに配置し、
前記第二のＰＨＩＣＨに第二の系列を乗算し、
異なる第二の系列が乗算された、２つまでの前記第二のＰＨＩＣＨを同一の第二のリソースに配置し、
前記第一の系列の長さは４であり、前記第二の系列の長さは１である
ことを特徴とする無線通信システム。
【発明の詳細な説明】
【技術分野】
【０００１】
本発明は、複数の移動局装置と基地局装置から構成される通信システムにおいて、基地局装置が移動局装置に対して効率的に制御情報を含む信号を送信することができ、移動局装置は基地局装置から効率的に制御情報を含む信号を受信することができる移動局装置、基地局装置、通信方法、集積回路および通信システムに関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において仕様化されている。ＬＴＥでは、基地局装置から移動局装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
ＬＴＥを発展させ、新たな技術を適用するＬＴＥ−Ａ（LTE-Advanced）が検討されている。ＬＴＥ−ＡではＬＴＥと同一のチャネル構造を少なくともサポートすることが検討されている。チャネルとは、信号の送信に用いられる媒体を意味する。物理層で用いられるチャネルは物理チャネルと呼称する。媒体アクセス制御（Medium Access Control: MAC）層で用いられるチャネルは論理チャネルと呼称する。物理チャネルの種類としては、下りリンクのデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）等がある。移動局装置、または基地局装置は、制御情報、データなどから生成した信号を各物理チャネルに配置して、送信する。
【０００４】
移動局装置において、データ信号の受信処理に関して、データ信号に用いられる変調方式、符号化率、空間多重数、送信電力調整値、リソースの割り当てなどを示す制御情報を取得する必要がある。ＬＴＥ−Ａでは、データ信号に関する制御情報を送信する新しい制御チャネルを導入することが検討されている（非特許文献１）。例えば、全体の制御チャネルのキャパシティを改善することが検討されている。例えば、新しい制御チャネルに対して周波数領域での干渉コーディネーションをサポートすることが検討されている。
【０００５】
ＬＴＥ−Ａでは、上りリンクデータ信号に対するＡＣＫ／ＮＡＣＫを下りリンクで送信するチャネル（PHICH: Physical Hybrid Automatic Repeat reQuest Indicator CHannel）に対しても新しいチャネルを導入することが検討されている（非特許文献２）。
【先行技術文献】
【非特許文献】
【０００６】
【非特許文献１】3GPP TSG RAN1 #66bis、Zhuhai、China、10-14、October、2011、R1-113589“Way Forward on downlink control channel enhancements by UE-specific RS”
【非特許文献２】3GPP TSG RAN1 #67、San Francisco、USA、14-18、November、2011、R1-113682“Views on enhanced PHICH”
【発明の概要】
【発明が解決しようとする課題】
【０００７】
下りリンクでＡＣＫ／ＮＡＣＫを送信する新しいチャネル（enhanced PHICH）に対しても、新しい制御チャネルに望まれる機能と同様の機能をサポートすることが提案されている。例えば、下りリンクでＡＣＫ／ＮＡＣＫを送信する新しいチャネルに対して、周波数領域での干渉コーディネーションをサポートすることが提案されている。例えば、下りリンクでＡＣＫ／ＮＡＣＫを送信する新しいチャネルに対して、セル内の全ての移動局装置に対して共通である参照信号ではなく、移動局装置において固有の参照信号を用いて信号の復調を行うことが提案されている。
【０００８】
本発明は上記の点に鑑みてなされたものであり、その目的は、複数の移動局装置と基地局装置から構成される通信システムにおいて、基地局装置が移動局装置に対して効率的にＡＣＫ／ＮＡＣＫを含む信号を送信することができ、移動局装置は基地局装置から効率的にＡＣＫ／ＮＡＣＫを含む信号を受信することができる通信システム、移動局装置、基地局装置、通信方法および集積回路に関する。
【課題を解決するための手段】
【０００９】
（１）上記の目的を達成するために、本発明は、以下のような手段を講じた。すなわち、本発明の移動局装置は、ＰＵＳＣＨを用いてトランスポートブロックを前記基地局装置に送信し、第一のＰＨＩＣＨまたは第二のＰＨＩＣＨを用いて、前記トランスポートブロックに対するＡＣＫ／ＮＡＣＫを前記基地局装置から受信する。また、本発明の移動局装置において、前記第一のＰＨＩＣＨは第一の系列が乗算される。また、本発明の移動局装置において、異なる第一の系列が乗算された、８つまでの前記第一のＰＨＩＣＨが同一の第一のリソースに配置される。また、本発明の移動局装置において、前記第二のＰＨＩＣＨは第二の系列が乗算される。また、本発明の移動局装置において、異なる第二の系列が乗算された、２つまでの前記第二のＰＨＩＣＨが同一の第二のリソースに配置される。また、本発明の移動局装置において、前記第一の系列の長さは４であり、前記第二の系列の長さは１である。
【００１０】
（２）また、本発明の基地局装置は、ＰＵＳＣＨを用いてトランスポートブロックを前記移動局装置から受信し、第一のＰＨＩＣＨまたは第二のＰＨＩＣＨを用いて、前記トランスポートブロックに対するＡＣＫ／ＮＡＣＫを前記移動局装置に送信する。また、本発明の基地局装置は、前記第一のＰＨＩＣＨに第一の系列を乗算し、異なる第一の系列が乗算された、８つまでの前記第一のＰＨＩＣＨを同一の第一のリソースに配置する。また、本発明の基地局装置は、前記第二のＰＨＩＣＨに第二の系列を乗算し、異なる第二の系列が乗算された、２つまでの前記第二のＰＨＩＣＨを同一の第二のリソースに配置する。また、本発明の基地局装置において、前記第一の系列の長さは４であり、前記第二の系列の長さは１である。
【００１１】
（３）また、本発明の無線通信方法は、基地局装置と通信する移動局装置に用いられる無線通信方法であって、ＰＵＳＣＨを用いてトランスポートブロックを前記基地局装置に送信し、第一のＰＨＩＣＨまたは第二のＰＨＩＣＨを用いて、前記トランスポートブロックに対するＡＣＫ／ＮＡＣＫを前記基地局装置から受信する。また、本発明の無線通信方法において、前記第一のＰＨＩＣＨは第一の系列が乗算される。また、本発明の無線通信方法において、異なる第一の系列が乗算された、８つまでの前記第一のＰＨＩＣＨが同一の第一のリソースに配置される。また、本発明の無線通信方法において、前記第二のＰＨＩＣＨは第二の系列が乗算される。また、本発明の無線通信方法において、異なる第二の系列が乗算された、２つまでの前記第二のＰＨＩＣＨが同一の第二のリソースに配置される。また、本発明の無線通信方法において、前記第一の系列の長さは４であり、前記第二の系列の長さは１である。
【００１２】
（４）また、本発明の無線通信方法は、移動局装置と通信する基地局装置に用いられる無線通信方法であって、ＰＵＳＣＨを用いてトランスポートブロックを前記移動局装置から受信し、第一のＰＨＩＣＨまたは第二のＰＨＩＣＨを用いて、前記トランスポートブロックに対するＡＣＫ／ＮＡＣＫを前記移動局装置に送信する。また、本発明の無線通信方法は、前記第一のＰＨＩＣＨに第一の系列を乗算し、異なる第一の系列が乗算された、８つまでの前記第一のＰＨＩＣＨを同一の第一のリソースに配置する。また、本発明の無線通信方法は、前記第二のＰＨＩＣＨに第二の系列を乗算し、異なる第二の系列が乗算された、２つまでの前記第二のＰＨＩＣＨを同一の第二のリソースに配置する。また、本発明の無線通信方法において、前記第一の系列の長さは４であり、前記第二の系列の長さは１である。
【００１３】
（５）また、本発明の集積回路は、基地局装置と通信する移動局装置に実装されることにより、前記移動局装置に複数の機能を発揮させる集積回路であって、ＰＵＳＣＨを用いてトランスポートブロックを前記基地局装置に送信する機能と、第一のＰＨＩＣＨまたは第二のＰＨＩＣＨを用いて、前記トランスポートブロックに対するＡＣＫ／ＮＡＣＫを前記基地局装置から受信する機能と、を前記移動局装置に発揮させる。また、本発明の集積回路において、前記第一のＰＨＩＣＨは第一の系列が乗算される。また、本発明の集積回路において、異なる第一の系列が乗算された、８つまでの前記第一のＰＨＩＣＨが同一の第一のリソースに配置される。また、本発明の集積回路において、前記第二のＰＨＩＣＨは第二の系列が乗算される。また、本発明の集積回路において、異なる第二の系列が乗算された、２つまでの前記第二のＰＨＩＣＨが同一の第二のリソースに配置される。また、本発明の集積回路において、前記第一の系列の長さは４であり、前記第二の系列の長さは１である。
【００１４】
（６）また、本発明の集積回路は、移動局装置と通信する基地局装置に実装されることにより、前記基地局装置に複数の機能を発揮させる集積回路であって、ＰＵＳＣＨを用いてトランスポートブロックを前記移動局装置から受信する機能と、第一のＰＨＩＣＨまたは第二のＰＨＩＣＨを用いて、前記トランスポートブロックに対するＡＣＫ／ＮＡＣＫを前記移動局装置に送信する機能と、前記第一のＰＨＩＣＨに第一の系列を乗算する機能と、異なる第一の系列が乗算された、８つまでの前記第一のＰＨＩＣＨを同一の第一のリソースに配置する機能と、前記第二のＰＨＩＣＨに第二の系列を乗算する機能と、異なる第二の系列が乗算された、２つまでの前記第二のＰＨＩＣＨを同一の第二のリソースに配置する機能とを、前記基地局装置に発揮させる。また、本発明の集積回路において、前記第一の系列の長さは４であり、前記第二の系列の長さは１である。
【００１５】
（７）また、本発明の無線通信システムは、基地局装置と移動局装置が通信する無線通信システムであって、前記移動局装置は、ＰＵＳＣＨを用いてトランスポートブロックを前記基地局装置に送信する。また、本発明の無線通信システムにおいて、前記基地局装置は、第一のＰＨＩＣＨまたは第二のＰＨＩＣＨを用いて、前記トランスポートブロックに対するACK/NACKを前記移動局装置に送信し、前記第一のＰＨＩＣＨに第一の系列を乗算し、異なる第一の系列が乗算された、８つまでの前記第一のＰＨＩＣＨを同一の第一のリソースに配置し、前記第二のＰＨＩＣＨに第二の系列を乗算し、異なる第二の系列が乗算された、２つまでの前記第二のＰＨＩＣＨを同一の第二のリソースに配置する。また、本発明の無線通信システムにおいて、前記第一の系列の長さは４であり、前記第二の系列の長さは１である。
【００１６】
本明細書では、移動局装置に対して制御チャネルが配置される可能性のある領域が基地局装置より設定される通信システム、移動局装置、基地局装置、通信方法および集積回路の改良という点において本発明を開示するが、本発明が適用可能な通信方式は、ＬＴＥまたはＬＴＥ−ＡのようにＬＴＥと上位互換性のある通信方式に限定されるものではない。例えば、本発明はＵＭＴＳ（Universal Mobile Telecommunications System）にも適用することができる。
【発明の効果】
【００１７】
この発明によれば、基地局装置が移動局装置に対して効率的にＡＣＫ／ＮＡＣＫを含む信号を送信することができ、移動局装置は基地局装置から効率的にＡＣＫ／ＮＡＣＫを含む信号を受信することができる、更に効率的な通信システムを実現することができる。
【図面の簡単な説明】
【００１８】
【図１】本発明の実施形態に係る移動局装置５の構成を示す概略ブロック図である。
【図２】本発明の実施形態に係る基地局装置３の構成を示す概略ブロック図である。
【図３】本発明の実施形態に係る通信システムの全体像についての概略を説明する図である。
【図４】本発明の実施形態に係る基地局装置３、またはＲＲＨ４から移動局装置５への下りリンクの時間フレームの概略構成を示す図である。
【図５】本発明の実施形態に係る下りリンクの時間フレーム内の物理チャネルの割り当ての一例を示す図である。
【図６】本発明の実施形態に係る通信システム１の下りリンクサブフレーム内の下りリンク参照信号の配置の一例を示す図である。
【図７】本発明の実施形態に係る８アンテナポート用のＣＳＩ−ＲＳ（伝送路状況測定用参照信号）がマッピングされたＤＬ  ＰＲＢ  ｐａｉｒの一例を示す図である。
【図８】本発明の実施形態に係る移動局装置５から基地局装置３、ＲＲＨ４への上りリンクの時間フレームの概略構成を示す図である。
【図９】本発明の実施形態に係る通信システム１の第一のＰＤＣＣＨとＣＣＥの論理的な関係を説明する図である。
【図１０】本発明の実施形態に係る通信システム１の下りリンク無線フレームにおけるリソースエレメントグループの配置例を示す図である。
【図１１】本発明の実施形態に係る通信システム１において第二のＰＤＣＣＨ領域の概略構成の一例を示す図である。
【図１２】本発明の実施形態に係る通信システム１の第二のＰＤＣＣＨとＥ−ＣＣＥの論理的な関係を説明する図である。
【図１３】本発明の実施形態の領域（ｒｅｇｉｏｎ, ｒｅｓｏｕｒｃｅ）の構成の一例を示す図である。
【図１４】本発明の実施形態に係るＥ−ＣＣＥとＬｏｃａｌｉｚｅｄ  Ｅ−ＰＤＣＣＨの構成の一例を示す図である。
【図１５】本発明の実施形態に係るＥ−ＣＣＥとＤｉｓｔｒｉｂｕｔｅｄ  Ｅ−ＰＤＣＣＨの構成の一例を示す図である。
【図１６】本発明の実施形態に係るＰＨＩＣＨを用いて送信されるＡＣＫ／ＮＡＣＫの信号処理の一例を示す図である。
【図１７】本発明の実施形態に係るＰＨＩＣＨの変調シンボルに乗算される系列wの一例を示す図である。
【図１８】本発明の実施形態に係る第一のＰＨＩＣＨグループのリソースエレメントへの配置の一例を示す図である。
【図１９】本発明の実施形態に係る第二のＰＨＩＣＨグループのリソースエレメントへの配置の一例を示す図である
【発明を実施するための形態】
【００１９】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やｃｄｍａ２０００（登録商標）等のような無線技術（規格）を実装し得る。ＵＴＲＡは、広帯域ＣＤＭＡ（ＷＣＤＭＡ）及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））のような無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ‐ＯＦＤＭ（登録商標）などのような無線技術を実装し得る。ＵＴＲＡ及びＥ−ＵＴＲＡは、汎用移動通信システム（ＵＭＴＳ）の一部である。３ＧＰＰ ＬＴＥ（Ｌｏｎｇ  Ｔｅｒｍ  Ｅｖｏｌｕｔｉｏｎ）は、ダウンリンク上でＯＦＤＭＡを、アップリンク上でＳＣ−ＦＤＭＡを採用するＥ−ＵＴＲＡを使用するＵＭＴＳである。ＬＴＥ−Ａは、ＬＴＥを改良したシステム、無線技術、規格である。ＵＴＲＡ、Ｅ−ＵＴＲＡ、ＵＭＴＳ、ＬＴＥ、ＬＴＥ−Ａ及びＧＳＭは、第３世代パートナーシッププロジェクト（３ＧＰＰ）と名付けられた機関からのドキュメントで説明されている。ｃｄｍａ２０００及びＵＭＢは、第３世代パートナーシッププロジェクト２（３ＧＰＰ２）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００２０】
以下、図面を参照しながら本発明の実施形態について詳しく説明する。
【００２１】
図３は、本発明の実施形態に係る通信システムの全体像についての概略を説明する図である。この図が示す通信システム１は、基地局装置（eNodeB、NodeB、BS: Base Station、AP: Access Point; アクセスポイント、マクロ基地局とも呼称する。）３と、複数のＲＲＨ（Remote Radio Head、基地局装置より小型の屋外型の無線部を有する装置、Remote Radio Unit: RRUとも称す）（リモートアンテナ、分散アンテナとも呼称する。）４Ａ、４Ｂ、４Ｃと、複数の移動局装置（UE: User Equipment、MS: Mobile Station、MT: Mobile Terminal、端末、端末装置、移動端末とも呼称する）５Ａ、５Ｂ、５Ｃとが通信を行なう。以下、本実施形態において、ＲＲＨ４Ａ、４Ｂ、４ＣをＲＲＨ４と呼び、移動局装置５Ａ、５Ｂ、５Ｃを移動局装置５と呼び、適宜説明を行なう。通信システム１では、基地局装置３とＲＲＨ４が協調して、移動局装置５と通信を行う。図３では、基地局装置３とＲＲＨ４Ａとが移動局装置５Ａと協調通信を行い、基地局装置３とＲＲＨ４Ｂとが移動局装置５Ｂと協調通信を行い、基地局装置３とＲＲＨ４Ｃとが移動局装置５Ｃと協調通信を行う。
【００２２】
なお、ＲＲＨは、基地局装置の特殊な形態とも言える。例えば、ＲＲＨは信号処理部のみを有し、他の基地局装置によってＲＲＨで用いられるパラメータの設定、スケジューリングの決定などが行われる基地局装置と言うことができる。よって、以降の説明では、基地局装置３という表現は、適宜ＲＲＨ４を含むことに注意すべきである。
【００２３】
＜協調通信＞
本発明の実施形態に係る通信システム１では、複数のセルを用いて協調して信号の送受信が行なわれる協調通信（Cooperative Multipoint: CoMP通信）が用いられうる。なお、例えば、基地局装置が任意の１つの周波数帯域を用いて通信する形態のことを「セル（Cell）」と呼称する。例えば、協調通信として、複数のセル（基地局装置３とＲＲＨ４）で異なる重み付け信号処理（プリコーディング処理）が信号に適用され、基地局装置３とＲＲＨ４がその信号を協調して同一の移動局装置５に送信する（Joint Processing、Joint Transmission）。例えば、協調通信として、複数のセル（基地局装置３とＲＲＨ４）で協調して移動局装置５に対してスケジューリングを行う（Coordinated Scheduling: CS）。例えば、協調通信として、複数のセル（基地局装置３とＲＲＨ４）で協調してビームフォーミングを適用して移動局装置５に信号を送信する（Coordinated Beamforming: CB）。例えば、協調通信として、一方のセル（基地局装置３、またはＲＲＨ４）でのみ所定のリソースを用いて信号を送信し、一方のセル（基地局装置３、またはＲＲＨ４）では所定のリソースで信号を送信しない（Blanking, Muting）。
【００２４】
なお、本発明の実施形態では説明を省略するが、協調通信に用いられる複数のセルに関して、異なるセルは異なる基地局装置３により構成されてもよいし、異なるセルは同じ基地局装置３に管理される異なるＲＲＨ４により構成されてもよいし、異なるセルは基地局装置３とその基地局装置とは異なる基地局装置３に管理されるＲＲＨ４により構成されてもよい。
【００２５】
なお、複数のセルは物理的には異なるセルとして用いられるが、論理的には同一のセルとして用いられてもよい。具体的には、共通のセル識別子（物理層セルＩＤ：Physical layer cell ID）が各セルに用いられる構成でもよい。複数の送信装置（基地局装置３とＲＲＨ４）が同一の周波数帯域を用いて同一の受信装置に対して共通の信号を送信する構成を単一周波数ネットワーク（SFN; Single Frequency Network）と呼称する。
【００２６】
通信システム１では、基地局装置３、またはＲＲＨ４から移動局装置５への通信方向である下りリンク（DL: Downlinkとも呼称する。）が、下りリンクパイロットチャネル、物理下りリンク制御チャネル（PDCCH: Physical Downlink Control CHannelとも呼称する。）、物理ＨＡＲＱインジケータチャネル（PHICH: Physical Hybrid Automatic Repeat reQuest Indicator CHannel）、および物理下りリンク共用チャネル（PDSCH: Physical Downlink Shared CHannelとも呼称する。）を含んで構成される。ＰＤＳＣＨは、協調通信が適用されたり、適用されなかったりする。ＰＤＣＣＨは、第一のＰＤＣＣＨと、第二のＰＤＣＣＨ（Ｅ−ＰＤＣＣＨ：Ｅｎｈａｎｃｅｄ‐ＰＤＣＣＨ）とにより構成される。ＰＨＩＣＨは、第一のＰＨＩＣＨと、第二のＰＨＩＣＨ（Ｅ−ＰＨＩＣＨ：Ｅｎｈａｎｃｅｄ−ＰＨＩＣＨ）とにより構成される。下りリンクパイロットチャネルは、第一のタイプの参照信号（後述するＣＲＳ）と、第二の参照信号（後述するＵＥ−ｓｐｅｃｉｆｉｃ  ＲＳ）と、第三のタイプの参照信号（後述するＣＳＩ−ＲＳ）により構成される。第一のタイプの参照信号は、ＰＤＳＣＨ、第一のＰＤＣＣＨ、および第一のＰＨＩＣＨの復調に用いられる。第二のタイプの参照信号は、ＰＤＳＣＨ、第二のＰＤＣＣＨ、および第二のＰＨＩＣＨの復調に用いられる。
【００２７】
なお、１つの観点から見ると、第一のＰＤＣＣＨおよび第一のＰＨＩＣＨは、第一のタイプの参照信号と同じ送信ポート（アンテナポート、送信アンテナ）が用いられる物理チャネルである。また、第二のＰＤＣＣＨおよび第二のＰＨＩＣＨは、第二のタイプの参照信号と同じ送信ポートが用いられる物理チャネルである。移動局装置５は、第一のＰＤＣＣＨおよび第二のＰＨＩＣＨにマッピングされる信号に対して、第一のタイプの参照信号を用いて復調し、第二のＰＤＣＣＨおよび第二のＰＨＩＣＨにマッピングされる信号に対して、第二のタイプの参照信号を用いて復調する。第一のタイプの参照信号は、セル内の全移動局装置５に共通の参照信号であって、ほぼすべてのリソースブロックに挿入されており、いずれの移動局装置５も使用可能な参照信号である。このため、第一のＰＤＣＣＨは、いずれの移動局装置５も復調可能である。一方、第二のタイプの参照信号は、割り当てられたリソースブロックのみに基本的に挿入されうる参照信号である。第二のタイプの参照信号には、データと同じように適応的にプリコーディング処理が適用されうる。
【００２８】
なお、１つの観点から見ると、第一のＰＤＣＣＨおよび第一のＰＨＩＣＨは、ＰＤＳＣＨが配置されないＯＦＤＭシンボルに配置される制御チャネルである。また、第二のＰＤＣＣＨおよび第二のＰＨＩＣＨは、ＰＤＳＣＨが配置されるＯＦＤＭシンボルに配置される制御チャネルである。なお、１つの観点から見ると、第一のＰＤＣＣＨおよび第一のＰＨＩＣＨは、基本的に下りリンクシステム帯域の全てのＰＲＢ（１番目のスロットのＰＲＢ）に亘って信号が配置される制御チャネルであり、第二のＰＤＣＣＨおよび第二のＰＨＩＣＨは、下りリンクシステム帯域内の基地局装置３より構成されたＰＲＢ  ｐａｉｒ（ＰＲＢ）に亘って信号が配置される制御チャネルである。
【００２９】
また、通信システム１では、移動局装置５から基地局装置３、またはＲＲＨ４への通信方向である上りリンク（UL: Uplinkとも呼称する）が、物理上りリンク共用チャネル（PUSCH: PhysicalUplink Shared CHannelとも呼称する。）、上りリンクパイロットチャネル（上りリンク参照信号; UL RS: Uplink Reference Signal、SRS: Sounding Reference Signal、DM RS: Demodulation Reference Signal）、および物理上りリンク制御チャネル（PUCCH: Physical Uplink Control CHannelとも呼称する。）を含んで構成される。チャネルとは、信号の送信に用いられる媒体を意味する。物理層で用いられるチャネルは物理チャネル、媒体アクセス制御（Medium Access Control: MAC）層で用いられるチャネルは論理チャネルと呼称する。
【００３０】
また、本発明は、例えば下りリンクに協調通信が適用される場合、例えば下りリンクに複数アンテナ送信が適用される場合の通信システムに適用可能であり、説明の簡略化のため、上りリンクにおいては協調通信が適用されない場合、上りリンクにおいては複数アンテナ送信が適用されない場合について説明するが、そのような場合に本発明は限定されない。
【００３１】
ＰＤＳＣＨは、下りリンクのデータの送受信に用いられる物理チャネルである。ＰＤＣＣＨは、下りリンクの制御情報（下りリンク制御情報; Downlink Control Information: DCI）の送受信に用いられる物理チャネルである。ＰＵＳＣＨは、上りリンクのデータおよび制御情報（上りリンク制御情報; Uplink Control Information: UCI）の送受信に用いられる物理チャネルである。ＰＵＣＣＨは、上りリンクの制御情報の送受信に用いられる物理チャネルである。ＵＣＩの種類としては、ＰＤＳＣＨの下りリンクのデータに対する肯定応答（Acknowledgement: ACK）、または否定応答（Negative Acknowledgement: NACK）を示す受信確認応答（ACK/NACK）と、リソースの割り当てを要求するか否かを示すスケジューリング要求（Scheduling request: SR）等が用いられる。その他の物理チャネルの種類としては、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報（MIB: Master Information Blockとも呼称する。）の送信に用いられる物理報知チャネル（Physical Broadcast CHannel: PBCH）、ＰＤＣＣＨの領域を示す物理制御フォーマットインジケータチャネル（Physical Control Format Indicator CHannel）等が用いられる。
【００３２】
移動局装置５、基地局装置３、またはＲＲＨ４は、制御情報、データなどから生成した信号を各物理チャネルに配置して、送信する。ＰＤＳＣＨ、またはＰＵＳＣＨで送信されるデータは、トランスポートブロックと呼称する。また、基地局装置３、またはＲＲＨ４が管轄するエリアのことをセルと呼ぶ。
【００３３】
＜下りリンクの時間フレームの構成＞
図４は、本発明の実施形態に係る基地局装置３、またはＲＲＨ４から移動局装置５への下りリンクの時間フレームの概略構成を示す図である。この図において、横軸は時間領域、縦軸は周波数領域を表している。下りリンクの時間フレームは、リソースの割り当てなどの単位である。
【００３４】
無線フレームのそれぞれは、１０ｍｓ長である。また、無線フレームのそれぞれは２０のスロットから構成される。スロットのそれぞれは、０．５ｍｓ長であり、０から１９の番号がつけられる。サブフレームのそれぞれは、１ｍｓ長であり、２つの連続するスロットによって定義される。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００３５】
下りリンクのシステム帯域（下りリンクシステム帯域と呼称する。）は、基地局装置３、またはＲＲＨ４の下りリンクの通信帯域である。例えば、下りリンクのシステム帯域幅（下りリンクシステム帯域幅と呼称する。）は、２０ＭＨｚの周波数帯域幅から構成される。
【００３６】
スロットのそれぞれにおいて送信される信号または物理チャネルは、リソースグリッドによって表現される。リソースグリッドは複数のサブキャリアと複数のＯＦＤＭシンボルによって定義される。１つのスロットを構成するサブキャリアの数は、下りリンクのシステム帯域幅に依存する。１つのスロットを構成するＯＦＤＭシンボルの数は７である。リソースグリッド内のエレメントのそれぞれをリソースエレメントと称する。リソースエレメントは、サブキャリアの番号とＯＦＤＭシンボルの番号とを用いて識別する。
【００３７】
リソースブロックは、ある物理下りリンクチャネル（ＰＤＳＣＨなど）のリソースエレメントのマッピングを表現するために用いられる。リソースブロックは、仮想リソースブロックと物理リソースブロックが定義される。ある物理下りリンクチャネルは、まず仮想リソースブロックにマップされる。その後、仮想リソースブロックは、物理リソースブロックにマップされる。１つの物理リソースブロックは、時間領域において７個の連続するＯＦＤＭシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。１個の下りリンクのＰＲＢ  ｐａｉｒ（下りリンク物理リソースブロックペア; DL PRB pairと呼称する。）は下りリンクの時間領域で連続する２個のＰＲＢ（下りリンク物理リソースブロック; DL PRBと呼称する。）から構成される。
【００３８】
図５は、本発明の実施形態に係る下りリンクの時間フレーム内の物理チャネルの割り当ての一例を示す図である。各下りリンクサブフレームには少なくとも、ＰＤＳＣＨ、第一のＰＤＣＣＨ、第二のＰＤＣＣＨ、第一のＰＨＩＣＨ、第二のＰＨＩＣＨ、ＰＣＦＩＣＨが配置される。この図においては、第一のＰＤＣＣＨは下りリンクサブフレームの１番目から３番目までのＯＦＤＭシンボルから構成される。この図においては、ＰＣＦＩＣＨおよび第一のＰＨＩＣＨは下りリンクサブフレームの１番目のＯＦＤＭシンボルから構成される。この図においては、第二のＰＨＩＣＨは下りリンクサブフレームの４番目のＯＦＤＭシンボルから構成される。この図においては、ＰＤＳＣＨ、第二のＰＤＣＣＨは下りリンクサブフレームの４番目から１４番目までのＯＦＤＭシンボルから構成される。なお、ＰＤＳＣＨと第二のＰＤＣＣＨは異なるＤＬ  ＰＲＢ  ｐａｉｒに配置される。
【００３９】
この図において図示は省略するが、下りリンクの参照信号（Reference signal: RS）（下りリンク参照信号と呼称する。）の送信に用いられる下りリンクパイロットチャネルが複数の下りリンクリソースエレメントに分散して配置される。ここで、下りリンク参照信号は、第一のタイプの参照信号と第二のタイプの参照信号と第三のタイプの参照信号から構成される。例えば、下りリンク参照信号は、ＰＤＳＣＨ、ＰＨＩＣＨ（第一のＰＨＩＣＨ、第二のＰＨＩＣＨ）およびＰＤＣＣＨ（第一のＰＤＣＣＨ、第二のＰＤＣＣＨ）の伝搬路変動の推定に用いられる。第一のタイプの参照信号は、ＰＤＳＣＨ、第一のＰＨＩＣＨ、第一のＰＤＣＣＨの復調に用いられる。第一のタイプの参照信号は、Ｃｅｌｌ  ｓｐｅｃｉｆｉｃ  ＲＳ：ＣＲＳとも呼称する。第二のタイプの参照信号は、ＰＤＳＣＨ、第二のＰＨＩＣＨ、第二のＰＤＣＣＨの復調に用いられる。第二のタイプの参照信号は、ＵＥ‐ｓｐｅｃｉｆｉｃ  ＲＳとも呼称する。例えば、第三のタイプの参照信号は、伝搬路変動の推定のみに用いられる。第三のタイプの参照信号は、Ｃｈａｎｎｅｌ  Ｓｔａｔｅ  Ｉｎｆｏｒｍａｔｉｏｎ  ＲＳ：ＣＳＩ−ＲＳとも呼称する。下りリンク参照信号は、通信システム１において既知の信号である。以降の説明では、第一のタイプの参照信号としてＣＲＳ、第二のタイプの参照信号としてＵＥ‐ｓｐｅｃｉｆｉｃ  ＲＳ、第三のタイプの参照信号としてＣＳＩ−ＲＳが用いられる場合について説明する。
【００４０】
ＰＤＣＣＨ（第一のＰＤＣＣＨ、または第二のＰＤＣＣＨ）は、ＰＤＳＣＨに対するＤＬ  ＰＲＢ  ｐａｉｒの割り当てを示す情報、ＰＵＳＣＨに対するＵＬ  ＰＲＢ  ｐａｉｒの割り当てを示す情報、無線ネットワーク一時識別子（Radio Network Temporary Identifier: RNTIと呼称する。）、変調方式および符号化率に関する情報、再送パラメータに関する情報、空間多重数およびプリコーディング行列に関する情報、送信電力制御コマンド（TPC command）などの制御情報から生成された信号が配置される。ＰＤＣＣＨに含まれる制御情報を下りリンク制御情報（Downlink Control Information: DCI）と呼称する。ＰＤＳＣＨに対するＤＬ  ＰＲＢ  ｐａｉｒの割り当てを示す情報を含むＤＣＩは下りリンクアサインメント（Downlink assignment: DL assignment、またDownlink grantとも呼称する。）と呼称し、ＰＵＳＣＨに対するＵＬ  ＰＲＢ  ｐａｉｒの割り当てを示す情報を含むＤＣＩは上りリンクグラント（Uplink grant: UL grantと呼称する。）と呼称する。
【００４１】
下りリンク参照信号の配置について説明する。図６は、本発明の実施形態に係る通信システム１の下りリンクサブフレーム内の下りリンク参照信号の配置の一例を示す図である。説明の簡略化のため、図６では、ある１個のＤＬ  ＰＲＢ  ｐａｉｒ内の下りリンク参照信号の配置について説明するが、下りリンクシステム帯域内の複数のＤＬ  ＰＲＢ  ｐａｉｒにおいて共通した配置方法が用いられる。
【００４２】
網掛けした下りリンクリソースエレメントのうち、Ｒ０〜Ｒ１は、それぞれアンテナポート０〜１のＣＲＳを示す。ＣＲＳは、下りリンクシステム帯域内の全てのＤＬ  ＰＲＢ  ｐａｉｒ内に配置されうる。ここで、アンテナポートとは、信号処理で用いる論理的なアンテナを意味し、１個のアンテナポートは複数の物理的なアンテナから構成されてもよい。
【００４３】
網掛けした下りリンクリソースエレメントのうち、Ｄ１はＵＥ‐ｓｐｅｃｉｆｉｃ  ＲＳを示す。複数のアンテナポートを用いてＵＥ‐ｓｐｅｃｉｆｉｃ  ＲＳが送信される場合、各アンテナポートで異なる符号が用いられる。つまり、ＵＥ‐ｓｐｅｃｉｆｉｃ  ＲＳにＣＤＭ（Code Division Multiplexing）が適用される。図６は、ＵＥ‐ｓｐｅｃｉｆｉｃ  ＲＳの送信に用いられるアンテナポートの数が１本（アンテナポート７）、または２本（アンテナポート７とアンテナポート８）の場合のＵＥ‐ｓｐｅｃｉｆｉｃ  ＲＳの配置の一例を示している。例えば、基地局装置３、ＲＲＨ４において、ＵＥ‐ｓｐｅｃｉｆｉｃ  ＲＳの送信に用いられるアンテナポートの数が２本の場合、符号の長さが２である符号を用いて、同じ周波数領域（サブキャリア）であり時間領域（ＯＦＤＭシンボル）で連続する２個の下りリンクリソースエレメントを一単位（ＣＤＭの単位）としてＵＥ‐ｓｐｅｃｉｆｉｃ  ＲＳが多重されて、配置される。図６において、Ｄ１にアンテナポート７とアンテナポート８のＵＥ‐ｓｐｅｃｉｆｉｃ  ＲＳがＣＤＭで多重される。
【００４４】
また、ＵＥ‐ｓｐｅｃｉｆｉｃ  ＲＳにおいて、各アンテナポートの符号に対してスクランブル符号がさらに重畳される。このスクランブル符号は、基地局装置３、ＲＲＨ４から通知されるセルＩＤおよびスクランブルＩＤに基づいて生成される。
【００４５】
図７は、本発明の実施形態に係る８アンテナポート用のＣＳＩ−ＲＳ（伝送路状況測定用参照信号）がマッピングされたＤＬ  ＰＲＢ  ｐａｉｒの一例を示す図である。図７は、基地局装置３およびＲＲＨ４において用いられるアンテナポート数（ＣＳＩポート数）が８の場合のＣＳＩ−ＲＳがマッピングされる場合を示している。なお、図７において、ＣＲＳ、ＵＥ‐ｓｐｅｃｉｆｉｃ  ＲＳ、ＰＤＣＣＨ、ＰＤＳＣＨ等の記載は、説明の簡略化のため、省略している。
【００４６】
ＣＳＩ−ＲＳは、それぞれのＣＤＭグループにおいて、２チップの直交符号（Ｗａｌｓｈ符号）が用いられ、それぞれの直交符号にＣＳＩポート（ＣＳＩ−ＲＳのポート（アンテナポート、リソースグリッド））が割り当てられ、２ＣＳＩポート毎に符号分割多重される。さらに、それぞれのＣＤＭグループが周波数分割多重される。４つのＣＤＭグループを用いて、ＣＳＩポート１〜８（アンテナポート１５〜２２）の８アンテナポートのＣＳＩ−ＲＳがマッピングされる。例えば、ＣＳＩ−ＲＳのＣＤＭグループＣ１では、ＣＳＩポート１および２（アンテナポート１５および１６）のＣＳＩ−ＲＳが符号分割多重され、マッピングされる。ＣＳＩ−ＲＳのＣＤＭグループＣ２では、ＣＳＩポート３および４（アンテナポート１７および１８）のＣＳＩ−ＲＳが符号分割多重され、マッピングされる。ＣＳＩ−ＲＳのＣＤＭグループＣ３では、ＣＳＩポート５および６（アンテナポート１９および２０）のＣＳＩ−ＲＳが符号分割多重され、マッピングされる。ＣＳＩ−ＲＳのＣＤＭグループＣ４では、ＣＳＩポート７および８（アンテナポート２１および２２）のＣＳＩ−ＲＳが符号分割多重され、マッピングされる。
【００４７】
ＣＳＩ−ＲＳの構成（ＣＳＩ−ＲＳ−Ｃｏｎｆｉｇ−ｒ１０）は、基地局装置３、ＲＲＨ４から移動局装置５に通知される。ＣＳＩ−ＲＳの構成としては、ＣＳＩ−ＲＳに設定されるアンテナポートの数を示す情報（ａｎｔｅｎｎａＰｏｒｔｓＣｏｕｎｔ−ｒ１０）、ＣＳＩ−ＲＳが配置される下りリンクサブフレームを示す情報（ｓｕｂｆｒａｍｅＣｏｎｆｉｇ−ｒ１０）、ＣＳＩ−ＲＳが配置される周波数領域を示す情報（ＲｅｓｏｕｒｃｅＣｏｎｆｉｇ−ｒ１０）が少なくとも含まれる。
【００４８】
＜上りリンクの時間フレームの構成＞
図８は、本発明の実施形態に係る移動局装置５から基地局装置３、ＲＲＨ４への上りリンクの時間フレームの概略構成を示す図である。この図において、横軸は時間領域、縦軸は周波数領域を表している。上りリンクの時間フレームは、リソースの割り当てなどの単位であり、上りリンクの予め決められた幅の周波数帯および時間帯からなる物理リソースブロックのペア（上りリンク物理リソースブロックペア; UL PRB pairと呼称する。）から構成される。１個のＵＬ  ＰＲＢ  ｐａｉｒは、上りリンクの時間領域で連続する２個の上りリンクのＰＲＢ（上りリンク物理リソースブロック; UL PRBと呼称する。）から構成される。
【００４９】
また、この図において、１個のＵＬ  ＰＲＢは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３、ＲＲＨ４の上りリンクの通信帯域である。上りリンクのシステム帯域幅（上りリンクシステム帯域幅と呼称する。）は、例えば、２０ＭＨｚの周波数帯域幅から構成される。
【００５０】
なお、上りリンクシステム帯域では上りリンクシステム帯域幅に応じて複数のＵＬ  ＰＲＢ  ｐａｉｒが配置される。例えば、２０ＭＨｚの周波数帯域幅の上りリンクシステム帯域は、１１０個のＵＬ  ＰＲＢ  ｐａｉｒから構成される。また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）がある。なお、１個の上りリンクサブキャリアと１個のＳＣ−ＦＤＭＡシンボルから構成されるユニットをリソースエレメント（上りリンクリソースエレメントと呼称する。）と呼称する。
【００５１】
各上りリンクサブフレームには、少なくともＰＵＳＣＨ、ＰＵＣＣＨ、ＰＵＳＣＨとＰＵＣＣＨの復調（伝搬路変動の推定）のためのＵＬ  ＲＳ（ＤＭ  ＲＳ）が配置される。また、図示は省略するが、何れかの上りリンクサブフレームには、ＰＲＡＣＨが配置される。また、図示は省略するが、何れかの上りリンクサブフレームには、チャネル品質、同期ずれの測定等に用いられるＵＬ  ＲＳ（ＳＲＳ）が配置される。
【００５２】
なお、１個のＰＵＳＣＨは１個以上のＵＬ  ＰＲＢ  ｐａｉｒから構成される。なお、１個のＰＵＣＣＨは上りリンクシステム帯域内において周波数領域に対称関係にあり、異なる上りリンクスロットに位置する２個のＵＬ  ＰＲＢから構成される。例えば、図８において、上りリンクサブフレーム内において、１番目の上りリンクスロットの最も周波数が低いＵＬ  ＰＲＢと、２番目の上りリンクスロットの最も周波数が高いＵＬ  ＰＲＢと、により、ＰＵＣＣＨに用いられるＵＬ  ＰＲＢ  ｐａｉｒの１個が構成される。
【００５３】
＜第一のＰＤＣＣＨの構成＞
第一のＰＤＣＣＨは、複数の制御チャネルエレメント（CCE: Control Channel Element）により構成される。各下りリンクシステム帯域で用いられるＣＣＥの数は、下りリンクシステム帯域幅と、第一のＰＤＣＣＨを構成するＯＦＤＭシンボルの数と、通信に用いる基地局装置３（または、ＲＲＨ４）の送信アンテナの数に応じた下りリンクパイロットチャネルの下りリンク参照信号の数に依存する。ＣＣＥは、後述するように、複数の下りリンクリソースエレメントにより構成される。
【００５４】
図９は、本発明の実施形態に係る通信システム１の第一のＰＤＣＣＨとＣＣＥの論理的な関係を説明する図である。基地局装置３（または、ＲＲＨ４）と移動局装置５間で用いられるＣＣＥには、ＣＣＥを識別するための番号が付与されている。ＣＣＥの番号付けは、予め決められた規則に基づいて行なわれる。ここで、ＣＣＥ  ｔは、番号ｔのＣＣＥを示す。第一のＰＤＣＣＨは、複数のＣＣＥからなる集合（CCE Aggregation）により構成される。この集合を構成するＣＣＥの数を、以下、「ＣＣＥ集合数」（CCE aggregation number）と称す。第一のＰＤＣＣＨを構成するＣＣＥ  ａｇｇｒｅｇａｔｉｏｎ  ｎｕｍｂｅｒは、第一のＰＤＣＣＨに設定される符号化率、第一のＰＤＣＣＨに含められるＤＣＩのビット数に応じて基地局装置３において設定される。また、ｎ個のＣＣＥからなる集合を、以下、「ＣＣＥ  ａｇｇｒｅｇａｔｉｏｎ  ｎ」という。
【００５５】
例えば、基地局装置３は、１個のＣＣＥにより第一のＰＤＣＣＨを構成したり（ＣＣＥ  ａｇｇｒｅｇａｔｉｏｎ  １）、２個のＣＣＥにより第一のＰＤＣＣＨを構成したり（ＣＣＥ  ａｇｇｒｅｇａｔｉｏｎ  ２）、４個のＣＣＥにより第一のＰＤＣＣＨを構成したり（ＣＣＥ  ａｇｇｒｅｇａｔｉｏｎ  ４）、８個のＣＣＥにより第一のＰＤＣＣＨを構成したりする（ＣＣＥ  ａｇｇｒｅｇａｔｉｏｎ  ８）。
【００５６】
図９において、斜線で示されるものは、第一のＰＤＣＣＨ候補を意味する。第一のＰＤＣＣＨ候補（ＰＤＣＣＨ  ｃａｎｄｉｄａｔｅ）とは、移動局装置５が第一のＰＤＣＣＨの復号検出を行う対象であり、ＣＣＥ  ａｇｇｒｅｇａｔｉｏｎ  ｎｕｍｂｅｒ毎に独立に第一のＰＤＣＣＨ候補が構成される。ＣＣＥ  ａｇｇｒｅｇａｔｉｏｎ  ｎｕｍｂｅｒ毎に構成される第一のＰＤＣＣＨ候補は、それぞれ異なる１つ以上のＣＣＥから構成される。ＣＣＥ  ａｇｇｒｅｇａｔｉｏｎ  ｎｕｍｂｅｒ毎に、独立に第一のＰＤＣＣＨ候補の数が設定される。ＣＣＥ  ａｇｇｒｅｇａｔｉｏｎ  ｎｕｍｂｅｒ毎に構成される第一のＰＤＣＣＨ候補は、番号の連続するＣＣＥから構成される。移動局装置５は、ＣＣＥ  ａｇｇｒｅｇａｔｉｏｎ  ｎｕｍｂｅｒ毎に設定された数の第一のＰＤＣＣＨ候補に対して第一のＰＤＣＣＨの復号検出を行う。第一のＰＤＣＣＨ候補のセットを、サーチスペースとも称する。
【００５７】
ＣＣＥを構成する複数の下りリンクリソースエレメントは、９個のリソースエレメントグループ（REG、mini-CCEとも称す）により構成される。言い換えると、ＣＣＥは、９個のリソースエレメントグループに配置される。リソースエレメントグループは複数の下りリンクリソースエレメントから構成される。例えば、１個のリソースエレメントグループは４個の下りリンクリソースエレメントから構成される。
【００５８】
図１０は、本発明の実施形態に係る通信システム１の下りリンク無線フレームにおけるリソースエレメントグループの配置例を示す図である。ここでは、第一のＰＤＣＣＨに用いられるリソースエレメントグループについて示し、関連しない部分（ＰＤＳＣＨ、ＰＣＦＩＣＨ、第二のＰＨＩＣＨ、第二のＰＤＣＣＨ、ＵＥ‐ｓｐｅｃｉｆｉｃ  ＲＳ、ＣＳＩ−ＲＳ）についての図示および説明は省略する。ここでは、第一のＰＤＣＣＨが１番目から３番目までのＯＦＤＭシンボルにより構成され、２本の送信アンテナ（アンテナポート０、アンテナポート１）のＣＲＳに対応する下りリンク参照信号（Ｒ０、Ｒ１）が配置される場合について示す。この図において、縦軸は周波数領域、横軸は時間領域を表わしている。
【００５９】
図１０の配置例では、１個のリソースエレメントグループは、同一のＯＦＤＭシンボル周波数領域の隣接する４個の下りリンクリソースエレメントにより構成される。図１０において、第一のＰＤＣＣＨの同一の符号が付された下りリンクリソースエレメントは、同一のリソースエレメントグループに属することを示す。なお、下りリンク参照信号が配置されたリソースエレメントＲ０（アンテナポート０の下りリンク参照信号）、Ｒ１（アンテナポート１の下りリンク参照信号）は飛ばされて、リソースエレメントグループが構成される。
【００６０】
＜第二のＰＤＣＣＨの構成＞
図１１は、本発明の実施形態に係る通信システム１において第二のＰＤＣＣＨが配置される可能性のある領域（説明の簡略化のため、以降、第二のＰＤＣＣＨ領域と称す。）の概略構成の一例を示す図である。基地局装置３は、下りリンクシステム帯域内に複数の第二のＰＤＣＣＨ領域（第二のＰＤＣＣＨ領域１、第二のＰＤＣＣＨ領域２、第二のＰＤＣＣＨ領域３）を構成（設定、配置）することができる。１個の第二のＰＤＣＣＨ領域は、１個以上のＤＬ  ＰＲＢ  ｐａｉｒから構成される。１個の第二のＰＤＣＣＨ領域が複数のＤＬ  ＰＲＢ  ｐａｉｒにより構成される場合、周波数領域で分散するＤＬ  ＰＲＢ  ｐａｉｒにより構成されてもよいし、周波数領域で連続するＤＬ  ＰＲＢ  ｐａｉｒにより構成されてもよい。例えば、基地局装置３は、複数の移動局装置５毎に第二のＰＤＣＣＨ領域を構成することができる。
【００６１】
第二のＰＤＣＣＨ領域のそれぞれに対して、配置される信号に異なる送信方法が設定される。例えば、ある第二のＰＤＣＣＨ領域に対して、配置される信号にプリコーディング処理が適用される。例えば、ある第二のＰＤＣＣＨ領域に対して、配置される信号にプリコーディング処理が適用されない。なお、配置される信号にプリコーディング処理が適用される第二のＰＤＣＣＨ領域では、ＤＬ  ＰＲＢ  ｐａｉｒ内において第二のＰＤＣＣＨと、ＵＥ−ｓｐｅｃｉｆｉｃ  ＲＳとは、同一のプリコーディング処理が適用されうる。なお、配置される信号にプリコーディング処理が適用される第二のＰＤＣＣＨ領域では、第二のＰＤＣＣＨと、ＵＥ−ｓｐｅｃｉｆｉｃ  ＲＳとに適用されるプリコーディング処理は、異なるＤＬ  ＰＲＢ  ｐａｉｒ間では異なるプリコーディング処理（適用されるプリコーディングベクトルが異なる）（適用されるプリコーディング行列が異なる）が適用されてもよい。
【００６２】
１つの第二のＰＤＣＣＨは、１つ以上のＥ−ＣＣＥ（第一の要素）から構成される。図１２は、本発明の実施形態に係る通信システム１の第二のＰＤＣＣＨとＥ−ＣＣＥの論理的な関係を説明する図である。基地局装置３（または、ＲＲＨ４）と移動局装置５間で用いられるＥ−ＣＣＥには、Ｅ−ＣＣＥを識別するための番号が付与されている。Ｅ−ＣＣＥの番号付けは、予め決められた規則に基づいて行なわれる。ここで、Ｅ−ＣＣＥ  ｔは、番号ｔのＥ−ＣＣＥを示す。第二のＰＤＣＣＨは、複数のＥ−ＣＣＥからなる集合（E-CCE Aggregation）により構成される。この集合を構成するＥ−ＣＣＥの数を、以下、「Ｅ−ＣＣＥ集合数」（E-CCE aggregation number）と称す。例えば、第二のＰＤＣＣＨを構成するＥ−ＣＣＥ  ａｇｇｒｅｇａｔｉｏｎ  ｎｕｍｂｅｒは、第二のＰＤＣＣＨに設定される符号化率、第二のＰＤＣＣＨに含められるＤＣＩのビット数に応じて基地局装置３において設定される。また、ｎ個のＥ−ＣＣＥからなる集合を、以下、「Ｅ−ＣＣＥ  ａｇｇｒｅｇａｔｉｏｎ  ｎ」という。
【００６３】
例えば、基地局装置３は、１個のＥ−ＣＣＥにより第二のＰＤＣＣＨを構成したり（Ｅ−ＣＣＥ  ａｇｇｒｅｇａｔｉｏｎ  １）、２個のＥ−ＣＣＥにより第二のＰＤＣＣＨを構成したり（Ｅ−ＣＣＥ  ａｇｇｒｅｇａｔｉｏｎ  ２）、４個のＥ−ＣＣＥにより第二のＰＤＣＣＨを構成したり（Ｅ−ＣＣＥ  ａｇｇｒｅｇａｔｉｏｎ  ４）、８個のＥ−ＣＣＥにより第二のＰＤＣＣＨを構成したりする（Ｅ−ＣＣＥ  ａｇｇｒｅｇａｔｉｏｎ  ８）。
【００６４】
図１２において、斜線で示されるものは、第二のＰＤＣＣＨ候補を意味する。第二のＰＤＣＣＨ候補（Ｅ−ＰＤＣＣＨ  ｃａｎｄｉｄａｔｅ）とは、移動局装置５が第二のＰＤＣＣＨの復号検出を行う対象であり、Ｅ−ＣＣＥ  ａｇｇｒｅｇａｔｉｏｎ  ｎｕｍｂｅｒ毎に独立に第二のＰＤＣＣＨ候補が構成される。Ｅ−ＣＣＥ  ａｇｇｒｅｇａｔｉｏｎ  ｎｕｍｂｅｒ毎に構成される第二のＰＤＣＣＨ候補は、それぞれ異なる１つ以上のＥ−ＣＣＥから構成される。Ｅ−ＣＣＥ  ａｇｇｒｅｇａｔｉｏｎ  ｎｕｍｂｅｒ毎に、独立に第二のＰＤＣＣＨ候補の数が設定される。Ｅ−ＣＣＥ  ａｇｇｒｅｇａｔｉｏｎ  ｎｕｍｂｅｒ毎に構成される第二のＰＤＣＣＨ候補は、番号の連続するＥ−ＣＣＥ、または番号の連続しないＥ−ＣＣＥから構成される。移動局装置５は、Ｅ−ＣＣＥ  ａｇｇｒｅｇａｔｉｏｎ  ｎｕｍｂｅｒ毎に設定された数の第二のＰＤＣＣＨ候補に対して第二のＰＤＣＣＨの復号検出を行う。第二のＰＤＣＣＨ候補のセットを、サーチスペースとも称する。
【００６５】
第二のＰＤＣＣＨ領域で構成されるＥ−ＣＣＥの数は、第二のＰＤＣＣＨ領域を構成するＤＬ  ＰＲＢ  ｐａｉｒの数に依存する。例えば、１つのＥ−ＣＣＥが対応するリソースの量（リソースエレメントの数）は、１つのＤＬ  ＰＲＢ  ｐａｉｒ内で第二のＰＤＣＣＨの信号に用いることが可能なリソース（下りリンク参照信号、第一のＰＤＣＣＨに用いられるリソースエレメントは除く）を４つに分割した量とほぼ等しい。また、１つの第二のＰＤＣＣＨ領域は、下りリンクのサブフレームの一方のスロットのみで構成されても、複数のＰＲＢにより構成されてもよい。また、第二のＰＤＣＣＨ領域は、下りリンクサブフレーム内の１番目のスロットと、２番目のスロットで、それぞれ独立に構成されてもよい。なお、本発明の実施形態では、説明の簡略化のため、第二のＰＤＣＣＨ領域は、下りリンクサブフレーム内の複数のＤＬ  ＰＲＢ  ｐａｉｒから構成される場合について主に説明するが、本発明がそのような場合に限定されるということではない。
【００６６】
図１３は、本発明の実施形態の領域（ｒｅｇｉｏｎ, ｒｅｓｏｕｒｃｅ）の構成の一例を示す図である。ここでは、領域を構成するリソースについて示し、関連しない部分（ＰＤＳＣＨ、第一のＰＤＣＣＨ）についての図示および説明は省略する。ここでは、１つのＤＬ  ＰＲＢ  ｐａｉｒについて示す。ここでは、第二のＰＤＣＣＨが下りリンクサブフレームの１番目のスロットの４番目から１４番目までのＯＦＤＭシンボルにより構成され、２本の送信アンテナ（アンテナポート０、アンテナポート１）に対するＣＲＳ（Ｒ０、Ｒ１）、１本、または２本の送信アンテナ（アンテナポート７、アンテナポート８、図示せず）に対するＵＥ‐ｓｐｅｃｉｆｉｃ  ＲＳ（Ｄ１）が配置される場合について示す。この図において、縦軸は周波数領域、横軸は時間領域を表わしている。ＤＬ  ＰＲＢ  ｐａｉｒ内で第二のＰＤＣＣＨの信号に用いることが可能なリソースが４つに分割されたリソースが、１つの領域として構成される。例えば、周波数領域でＤＬ  ＰＲＢ  ｐａｉｒのリソースが４つに分割されたリソースが１個の領域として構成される。具体的には、ＤＬ  ＰＲＢ  ｐａｉｒ内の３個のサブキャリア毎に分割されたリソースが１個の領域として構成される。例えば、ＤＬ  ＰＲＢ  ｐａｉｒ内のＥ−ＣＣＥは、周波数領域で低いサブキャリアを含むＥ−ＣＣＥから昇順で番号付けが行なわれる。
【００６７】
図１４は、本発明の実施形態に係るＥ−ＣＣＥとＬｏｃａｌｉｚｅｄ  Ｅ−ＰＤＣＣＨの構成の一例を示す図である。ここでは、第二のＰＤＣＣＨが下りリンクサブフレームの４番目から１４番目までのＯＦＤＭシンボルにより構成される場合について示す。この図において、縦軸は周波数領域、横軸は時間領域を表わしている。例えば、あるＥ−ＣＣＥは、あるＤＬ  ＰＲＢ  ｐａｉｒ内の領域（ｒｅｇｉｏｎ, ｒｅｓｏｕｒｃｅ）の番号の小さい（周波数領域で低い）方から２個のＥ−ＣＣＥから構成されている（例えばＥ−ＣＣＥ  ２１５１は領域２１０１と領域２１０２から構成されている）。またあるＥ−ＣＣＥはあるＤＬ  ＰＲＢ  ｐａｉｒ内の領域の番号の大きい（周波数領域で高い）方から２個のＥ−ＣＣＥから構成される（例えばＥ−ＣＣＥ  ２１５２は領域２１０３と領域２１０４から構成されている）。
【００６８】
図１５は、本発明の実施形態に係るＥ−ＣＣＥとＤｉｓｔｒｉｂｕｔｅｄ  Ｅ−ＰＤＣＣＨの構成の一例を示す図である。ここでは、第二のＰＤＣＣＨが下りリンクサブフレームの４番目から１４番目までのＯＦＤＭシンボルにより構成される場合について示す。この図において、縦軸は周波数領域、横軸は時間領域を表わしている。例えば、あるＥ−ＣＣＥは、異なるＤＬ  ＰＲＢ  ｐａｉｒ内の領域で構成される。
【００６９】
＜ＰＨＩＣＨ＞
ＰＨＩＣＨはＡＣＫ／ＮＡＣＫの伝送に用いられる。基地局装置３は、ＰＤＣＣＨを用いて送信した下りリンク制御情報によってスケジュールしたＰＵＳＣＨで受信したトランスポートブロックに対するＡＣＫ／ＮＡＣＫを、第一のＰＨＩＣＨで送信する。基地局装置３は、第二のＰＤＣＣＨを用いて送信した下りリンク制御情報によってスケジュールしたＰＵＳＣＨで受信したトランスポートブロックに対するＡＣＫ／ＮＡＣＫを、第二のＰＨＩＣＨで送信する。
【００７０】
移動局装置５は、サブフレームｎ内にスケジュールされたＰＵＳＣＨ送信に対して、サブフレームｎ＋４内のＰＨＩＣＨリソースを決定する。移動局装置５は、決定したＰＨＩＣＨリソースの信号を受信し、受信した信号から該ＰＵＳＣＨに対応するＡＣＫまたはＮＡＣＫを復号する。
【００７１】
基地局装置３は、複数のＰＨＩＣＨ（第一のＰＨＩＣＨ、第二のＰＨＩＣＨ）を、リソースエレメントの同じセットに配置する。リソースエレメントの同じセットに配置される複数のＰＨＩＣＨは、ＰＨＩＣＨグループを構成する。同じＰＨＩＣＨグループ内のＰＨＩＣＨは異なる系列を介して分けられる。ＰＨＩＣＨリソースは、ＰＨＩＣＨグループ番号ngroupPHICHと該グループ内の系列インデックスnseqPHICHのペアによって特定される。
【００７２】
ＰＨＩＣＨグループの数NgroupPHICHは、（１）式に基づいて算出される。第一のＰＨＩＣＨから構成されるＰＨＩＣＨグループを、第一のＰＨＩＣＨグループとも称する。第二のＰＨＩＣＨから構成されるＰＨＩＣＨグループを、第二のＰＨＩＣＨグループとも称する。第一のＰＨＩＣＨグループの数をNgroupPHICH,1とも称する。第二のＰＨＩＣＨグループの数をNgroupPHICH,2とも称する。
【００７３】
【数１】
0005841439.tif 000002
【００７４】
ceil()は、括弧の中の数字よりも大きく、最も小さい整数を求める関数である。Ng,1およびNg,2は、基地局装置３が移動局装置５に通知する値である。例えば、Ng,1の値、Ng,2の値は｛1/6, 1/2, 1, 2｝の中から選択される。例えば、基地局装置３は、ＰＢＣＨを用いてNg,1の値を示す情報を送信する。言い換えると、基地局装置３はＭＩＢにNg,1の値を示す情報を含めて送信する。例えば、基地局装置３は、ＰＤＳＣＨを用いてNg,1の値を示す情報を送信する。言い換えると、基地局装置３は、移動局装置５を対象とする専用の無線リソース制御情報にNg,1の値を示す情報を含めて送信する。例えば、基地局装置３は、ＰＢＣＨを用いてNg,2の値を示す情報を送信する。言い換えると、基地局装置３はＭＩＢにNg,2の値を示す情報を含めて送信する。例えば、基地局装置３は、ＰＤＳＣＨを用いてNg,2の値を示す情報を送信する。言い換えると、基地局装置３は、移動局装置５を対象とする専用の無線リソース制御情報にNg,2の値を示す情報を含めて送信する。尚、Ng,1およびNg,2は共通の（同じ）パラメータであってもよい（Ng,1=Ng,2）。この場合、Ng,1の値を示す情報とNg,2の値を示す情報を別々に送信しなくてもよい。
【００７５】
NDLRBは、下りリンク帯域幅に含まれる物理リソースブロックの数である。例えば、基地局装置３は、ＰＢＣＨを用いてNDLRBの値を示す情報を送信する。言い換えると、基地局装置３はＭＩＢにNDLRBの値を示す情報を含めて送信する。例えば、基地局装置３は、ＰＤＳＣＨを用いてNDLRBの値を示す情報を送信する。言い換えると、基地局装置３は、移動局装置５を対象とする専用の無線リソース制御情報にNDLRBの値を示す情報を含めて送信する。
【００７６】
尚、第二のＰＨＩＣＨグループの数を算出する際に、下りリンク帯域幅に含まれる物理リソースブロックの数NDLRBの代わりに、上りリンク帯域幅に含まれる物理リソースブロックの数NULRBを使用してもよい。例えば、基地局装置３は、ＰＤＳＣＨを用いてNULRBの値を示す情報を送信する。言い換えると、基地局装置３は、移動局装置５を対象とする専用の無線リソース制御情報にNULRBの値を示す情報を含めて送信する。尚、第二のＰＨＩＣＨグループの数を算出のために、下りリンク帯域幅に含まれる物理リソースブロックの数NDLRBの代わりに、上りリンク帯域幅に含まれる物理リソースブロックの数NULRBを使用する場合、Ng,1の値の固定としてもよい。
【００７７】
図１６は、本発明の実施形態に係るＰＨＩＣＨを用いて送信されるＡＣＫ／ＮＡＣＫの信号処理の一例を示す図である。ＡＣＫは＜１＞で表現される。ＮＡＣＫは＜０＞で表現される。基地局装置３は、ＮＡＣＫ＜０＞を符号化することによって３ビットの系列＜０，０，０＞を生成する。基地局装置３は、ＡＣＫ＜１＞を符号化することによって３ビットの系列＜１，１，１＞を生成する（ステップＳ１０００）。
【００７８】
基地局装置３は、ステップＳ１０００で生成した系列をＢＰＳＫ変調することによって、３つの変調シンボル＜z(0), z(1), z(2)＞を生成する（ステップＳ１００２）。基地局装置３は、ステップＳ１００２で生成した変調シンボルに対して系列の乗算およびスクランブルを行い、変調シンボルの系列＜d(0), d(1), …, d(Msymb-1)＞を生成する（ステップＳ１００４）。基地局装置３は、（２）式に基づいて該変調シンボルの系列を生成する。第一のＰＨＩＣＨの変調シンボルの系列＜d(0), d(1), …, d(Msymb-1)＞の長さは１２である。第二のＰＨＩＣＨの変調シンボルの系列＜d(0), d(1), …, d(Msymb-1)＞の長さは３である。
【００７９】
【数２】
0005841439.tif 000003
【００８０】
[X] mod [Y]は、[X]を[Y]で割った場合の余りを求める関数である。floor()は、括弧の中の数字よりも小さく、最も大きい整数を求める関数である。c()は、セル固有スクランブリング系列である。c()は、物理層セルIDおよびスロットの番号に基づいて初期値が設定される擬似ランダム系列である。すなわち、ＰＨＩＣＨの変調シンボルは、c()によってスクランブルされる。
【００８１】
w()は、変調シンボルz()に乗算される系列である。図１７は、本発明の実施形態に係るＰＨＩＣＨの変調シンボルに乗算される系列wの一例を示す図である。系列インデックスnseqPHICHはＰＨＩＣＨグループ内のＰＨＩＣＨ番号に対応する。NPHICHSFは、ＰＨＩＣＨの変調のために使用されるスプレッディングファクターサイズ（spreading factor size）である。第一のＰＨＩＣＨ用のスプレッディングファクターサイズは４である。第二のＰＨＩＣＨ用のスプレッディングファクターサイズは１である。言い換えると、第一のＰＨＩＣＨの変調シンボルに乗算されるw()の系列長（系列の長さ）は４である。第二のＰＨＩＣＨの変調シンボルに乗算されるw()の系列長（系列の長さ）は１である。本発明の実施形態では、第二のＰＨＩＣＨ用のスプレッディングファクターサイズは、第一のＰＨＩＣＨ用のスプレッディングファクターサイズと異なる。すなわち、本発明の実施形態では、第二のＰＨＩＣＨの変調シンボルに乗算される系列w()の長さは、第一のＰＨＩＣＨの変調シンボルに乗算される系列w()の長さと異なる。
【００８２】
尚、第二のＰＨＩＣＨの変調シンボルに乗算されるw()の系列長は１ではなく、２でもよい。すなわち、第二のＰＨＩＣＨ用のスプレッディングファクターサイズは２でもよい。例えば、スプレッディングファクターサイズが２の系列w()は、＜＋１，＋１＞、＜＋１、−１＞、＜＋ｊ，＋ｊ＞、＜＋ｊ，−ｊ＞である。尚、本発明の実施形態において、系列w()は直交系列である。例えば、ある系列w()と該ある系列w()と同じ長さの他のある系列w()は符号領域で直交している。例えば、ある系列w()と該ある系列w()と同じ長さの他のある系列w()は複素平面領域で直交している。
【００８３】
基地局装置３は、ステップＳ１００４において系列wの乗算およびスクランブルが行なわれた変調シンボルの系列をリソースエレメントに配置する（ステップＳ１００６）。
【００８４】
図１８は、本発明の実施形態に係る第一のＰＨＩＣＨグループのリソースエレメントへの配置の一例を示す図である。図１８において、縦軸は周波数領域を示す。図１８は、サブフレーム内の１番目のＯＦＤＭシンボルのみを示す。図１８において、斜線でハッチングされた四角はＣＲＳが配置されるリソースエレメントを示す。図１８において、番号ｉが付された四角はｉ番の第一のＰＨＩＣＨグループが配置されるリソースエレメントを示す。図１８において、太い線の四角はリソースエレメントグループを示す。
【００８５】
図１８において、単一の第一のＰＨＩＣＨグループは３つのリソースエレメントグループに配置される。同じ第一のＰＨＩＣＨグループが配置される３つのリソースエレメントグループは、周波数領域において間隔が均等になるように配置される。また、隣接する番号の複数の第一のＰＨＩＣＨグループは、周波数領域において隣接するリソースエレメントグループに配置される。尚、第一のＰＨＩＣＨグループは、ＰＣＦＩＣＨが配置されるリソースエレメントグループ以外のリソースエレメントグループに配置される。以下、第一のＰＨＩＣＨ（グループ）が配置されるリソースエレメントを第一のリソースとも称する。第一のリソースは第一のＰＤＣＣＨ領域のリソースである。
【００８６】
図１９は、本発明の実施形態に係る第二のＰＨＩＣＨグループのリソースエレメントへの配置の一例を示す図である。図１９において、縦軸は周波数領域を示す。図１９は、サブフレーム内の４番目のＯＦＤＭシンボルのみを示す。図１９において、番号ｉが付された四角はｉ番の第二のＰＨＩＣＨグループが配置されるリソースエレメントを示す。
【００８７】
図１９において、第二のＰＨＩＣＨグループは、第二のＰＤＣＣＨ領域のリソースエレメントに配置される。図１９において、単一の第二のＰＨＩＣＨグループは３つのリソースエレメントに配置される。同じ第二のＰＨＩＣＨグループが配置される３つのリソースエレメントは、周波数領域において非連続である。また、同じ第二のＰＨＩＣＨグループが配置される３つのリソースエレメントは、異なる物理リソースブロックを構成するリソースエレメントである。また、隣接する番号の複数の第二のＰＨＩＣＨグループは、周波数領域において隣接するリソースエレメントに配置される。以下、第二のＰＨＩＣＨ（グループ）が配置されるリソースエレメントを第二のリソースとも称する。第二のリソースは第二のＰＤＣＣＨ領域のリソースである。
【００８８】
ＰＵＳＣＨ送信に対応するＰＨＩＣＨリソース（ＰＨＩＣＨグループの番号ngroupPHICHおよび該ＰＨＩＣＨグループ内の系列インデックスnseqPHICH）は、（３）式および（４）式に基づいて特定される。基地局装置３は、（３）式および（４）式に基づいて特定されるＰＨＩＣＨリソースを用いてＡＣＫまたはＮＡＣＫを移動局装置５に送信する。また、移動局装置５は、（３）式および（４）式に基づいて特定されるＰＨＩＣＨリソースを用いてＡＣＫまたはＮＡＣＫを基地局装置３から受信する。
【００８９】
【数３】
0005841439.tif 000004
【００９０】
【数４】
0005841439.tif 000005
【００９１】
IPRB_RAは、該ＰＵＳＣＨ送信の第一のスロット内の最も低い物理リソースブロックインデックスである。nDMRSは、該ＰＵＳＣＨ送信が関連する最新の（most recent）下りリンク制御情報内の“ＤＭＲＳに対するサイクリックシフトフィールド（cyclic shift for DMRS field）”に配置される情報ビットの値から決定する値である。“ＤＭＲＳに対するサイクリックシフトフィールド（cyclic shift for DMRS field）”に配置される情報ビットは、該ＰＵＳＣＨとともに送信されるＤＭＲＳに適用されるサイクリックシフトの値を移動局装置５に通知するために使用される。
【００９２】
例えば、第二のＰＨＩＣＨグループの数が２５であり、ＰＵＳＣＨ送信の第一のスロット内の最も低い物理リソースブロックインデックスが３０であり、“ＤＭＲＳに対するサイクリックシフトフィールド（cyclic shift for DMRS field）”に配置される情報ビットに対応する値が１である場合、該ＰＵＳＣＨ送信に対応する第二のＰＨＩＣＨグループの番号は６、該第二のＰＨＩＣＨグループ内の系列インデックスは０である。
【００９３】
以下、本実施形態の装置構成について説明する。
【００９４】
図１は、本発明の実施形態に係る移動局装置５の構成を示す概略ブロック図である。図示するように、移動局装置５は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３およびＰＨＩＣＨリソース決定部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００９５】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００９６】
上位層処理部１０１が備える無線リソース制御部１０１１は、自装置の各種設定情報の管理を行なう。また、無線リソース制御部１０１１は、上りリンクの各チャネルに配置される情報を生成し、送信部１０７に出力する。
【００９７】
上位層処理部１０１が備えるスケジューリング情報解釈部１０１３は、受信部１０５を介して受信した物理チャネル（ＰＵＳＣＨやＰＤＳＣＨなど）のスケジューリングに用いられる情報の解釈をする。スケジューリング情報解釈部１０１３は、前記情報を解釈した結果に基づき、受信部１０５、および送信部１０７の制御を行なうために制御情報を生成し、制御部１０３に出力する。
【００９８】
上位層処理部１０１が備えるＰＨＩＣＨリソース決定部１０１５は、（３）式および（４）式に基づいて、移動局装置５が送信したＰＵＳＣＨに対応するＰＨＩＣＨリソースを決定する。ＰＨＩＣＨリソース決定部１０１５は、ＰＵＳＣＨのスケジューリングに用いられる制御情報の送信に第一のＰＤＣＣＨが使用された場合、第一のＰＨＩＣＨリソースの中から該ＰＵＳＣＨに対応する第一のＰＨＩＣＨリソースを決定する。ＰＨＩＣＨリソース決定部１０１５は、ＰＵＳＣＨのスケジューリングに用いられる制御情報の送信に第二のＰＤＣＣＨが使用された場合、第二のＰＨＩＣＨリソースの中から該ＰＵＳＣＨに対応する第二のＰＨＩＣＨリソースを決定する。
【００９９】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１００】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１０１】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１０２】
多重分離部１０５５は、抽出した信号をＰＨＩＣＨ、ＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１０３】
復調部１０５３は、ＰＨＩＣＨに対して対応する系列wを乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【０１０４】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１０５】
チャネル測定部１０５９は、多重分離部１０５５から入力された下りリンク参照信号から下りリンクのパスロスを測定し、測定したパスロスを上位層処理部１０１へ出力する。また、チャネル測定部１０５９は、多重分離部１０５５から入力された下りリンク参照信号からチャネル状態情報を算出し、算出したチャネル状態情報を上位層処理部１０１へ出力する。また、チャネル測定部１０５９は、下りリンク参照信号から下りリンクの伝搬路の推定値を算出し、多重分離部１０５５へ出力する。
【０１０６】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１０７】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１０８】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭを用いることにより同一のＰＵＳＣＨで送信される複数の上りリンクデータを、複数の系列にマッピングし、この系列に対してプレコーディング（precoding）を行なう。
【０１０９】
上りリンク参照信号生成部１０７９は、基地局装置３を識別するための物理レイヤセル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１１０】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１１１】
図２は、本発明の実施形態に係る基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３とＰＨＩＣＨリソース制御部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１１２】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１１３】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置５各々の各種設定情報の管理をする。例えば、無線リソース制御部３０１１は、セルの管理や周期的なチャネル状態情報の報告の管理などを行なう。
【０１１４】
上位層処理部３０１が備えるスケジューリング部３０１３は、チャネル測定部３０５９から入力された伝搬路の推定値やチャネル状態情報などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。スケジューリング部３０１３は、スケジューリング結果に基づき、物理チャネル（ＰＤＳＣＨおよびＰＵＳＣＨ）のスケジューリングに用いられる情報を生成する。スケジューリング部３０１３は、生成した情報を送信部３０７へ出力する。スケジューリング部３０１３は、ＰＵＳＣＨを用いて受信したトランスポートブロックに対するＡＣＫまたはＮＡＣＫを生成し、生成したＡＣＫまたはＮＡＣＫを送信部３０７へ出力する。
【０１１５】
上位層処理部３０１が備えるＰＨＩＣＨリソース制御部３０１５は、第一のＰＨＩＣＨリソースおよび第二のＰＨＩＣＨリソースを制御する。例えば、ＰＨＩＣＨリソース制御部３０１５は、第一のＰＨＩＣＨグループの数および／または第二のＰＨＩＣＨリソースグループの数を制御する。例えば、ＰＨＩＣＨリソース制御部３０１５は、受信したトランスポートブロックに対するＡＣＫまたはＮＡＣＫの送信に用いるＰＨＩＣＨリソースを制御する。
【０１１６】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１１７】
受信部３０５は、制御部３０３から入力された制御信号に従って、送受信アンテナ３０９を介して移動局装置５から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１１８】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１１９】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置５に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１２０】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置５各々に上りリンクグラントで予め通知した変調方式を用いて受信信号の復調を行なう。復調部３０５３は、移動局装置５各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１２１】
復号化部３０５１は、復調されたＰＵＣＣＨとＰＵＳＣＨの符号化ビットを、予め定められた符号化方式の、予め定められた、又は自装置が移動局装置５に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１２２】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置５に信号を送信する。
【０１２３】
符号化部３０７１は、上位層処理部３０１から入力されたＨＡＲＱインディケータ（ＡＣＫまたはＮＡＣＫ）、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１２４】
下りリンク参照信号生成部３０７９は、基地局装置３を識別するための物理レイヤセル識別子（ＰＣＩ）などを基に予め定められた規則で求まる、移動局装置５が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１２５】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１２６】
以上のように、本発明の実施形態では、移動局装置３は、ＰＵＳＣＨを用いてトランスポートブロックを基地局装置３に送信し、第一のＰＨＩＣＨまたは第二のＰＨＩＣＨを用いて、前記トランスポートブロックに対するACK/NACKを基地局装置３から受信する。また、前記第一のＰＨＩＣＨは第一の系列が乗算され、前記第二のＰＨＩＣＨは第二の系列が乗算される。また、異なる第一の系列が乗算された、８つまでの前記第一のＰＨＩＣＨが同一の第一のリソースに配置される。また、異なる第二の系列が乗算された、２つまでの前記第二のＰＨＩＣＨが同一の第二のリソースに配置される。また、前記第一の系列の長さは４であり、前記第二の系列の長さは１である。
【０１２７】
これにより、周波数領域での干渉コーディネーションをサポートし、移動局装置５において固有の参照信号（ＵＥ−ｓｐｅｃｉｆｉｃ  ＲＳ）を用いて信号の復調を行うことができる第二のＰＨＩＣＨを用いてＡＣＫ／ＮＡＣＫを送信することができ、効率的な通信が可能となる。具体的には、基地局装置３は、セル間の干渉が低い第二のＰＤＣＣＨ領域内に第二のＰＨＩＣＨを配置することができ、第二のＰＨＩＣＨの信号が受ける干渉を低減することができる。具体的には、基地局装置３は、第二のＰＨＩＣＨの信号に対してビームフォーミングを適用することができる。具体的には、移動局装置５は、ＵＥ−ｓｐｅｃｉｆｉｃ  ＲＳを用いてＡＣＫ／ＮＡＣＫの送受信に用いられるチャネルの信号を復調することができる。具体的には、移動局装置５は、第一のＰＨＩＣＨと第二のＰＨＩＣＨに対して、異なる長さの系列を乗算することによって、ＰＨＩＣＨの効率的に多重することができる。
【０１２８】
なお、本発明の実施形態では、説明の簡略化のため、第二のＰＤＣＣＨが配置される可能性があるリソースの領域を第二のＰＤＣＣＨ領域と定義したが、異なる文言で定義されても、類似した意味を持つのであれば、本発明を適用できることは明らかである。
【０１２９】
また、移動局装置５とは、移動する端末に限らず、固定端末に移動局装置５の機能を実装することなどにより本発明を実現しても良い。
【０１３０】
以上説明した本発明の特徴的な手段は、集積回路に機能を実装し、制御することによっても実現することができる。
【０１３１】
本発明の実施形態に記載の動作をプログラムで実現してもよい。本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１３２】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。移動局装置５および基地局装置３の各機能ブロックは、複数の回路により実現してもよい。
【０１３３】
情報及び信号が、種々の異なるあらゆる技術及び方法を用いて示され得る。例えば上記説明を通して参照され得るチップ、シンボル、ビット、信号、情報、コマンド、命令、及びデータは、電圧、電流、電磁波、磁場または磁性粒子、光学場または光粒子、またはこれらの組み合わせによって示され得る。
【０１３４】
本明細書の開示に関連して述べられた種々の例示的な論理ブロック、処理部、及びアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、及びステップが、概してその機能性に関して述べられてきた。そのような機能性がハードウェアとして実装されるかソフトウェアとして実装されるかは、個々のアプリケーション、及びシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【０１３５】
本明細書の開示に関連して述べられた種々の例示的な論理ブロック、処理部は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１３６】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことが出来るように、プロセッサに結合され得る。別の方法では、記録媒体はプロセッサに一体化されても良い。プロセッサと記録媒体は、ＡＳＩＣ内にあっても良い。ＡＳＩＣは、移動局装置（ユーザ端末）内にあり得る。あるいは、プロセッサ及び記録媒体は、ディスクリート要素として移動局装置５内にあっても良い。
【０１３７】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことが出来る。また、あらゆる接続が、適切にコンピュータ読み取り可能な媒体と呼ばれる。例えば、もしソフトウェアが同軸ケーブル、光ファイバケーブル、ツイストペア、デジタル加入者回線（ＤＳＬ）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（ｄｉｓｋ、ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、ブルーレイディスク、を含み、ディスク（ｄｉｓｋ）は、一般的に、磁気的にデータを再生する一方で、ディスク（ｄｉｓｃ）はレーザによって光学的にデータを再生する。上記のものを組み合わせたものもまた、コンピュータ読み取り可能な媒体に含まれるべきである。
【０１３８】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１３９】
３  基地局装置
４（Ａ〜Ｃ）  ＲＲＨ
５（Ａ〜Ｃ）  移動局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  チャネル状態情報選択部
３０１１  無線リソース制御部
３０１３  スケジューリング部
３０１５  制御情報生成部
２１０１〜２１１２  領域
２１５１〜２１５５  Ｅ−ＣＣＥ
２２０１〜２２０８  領域
２２５１〜２２５４  Ｅ−ＣＣＥ
【図１】
0005841439.tif 000010
【図２】
0005841439.tif 000011
【図３】
0005841439.tif 000012
【図４】
0005841439.tif 000013
【図５】
0005841439.tif 000014
【図６】
0005841439.tif 000015
【図７】
0005841439.tif 000016
【図８】
0005841439.tif 000017
【図９】
0005841439.tif 000018
【図１０】
0005841439.tif 000019
【図１１】
0005841439.tif 000020
【図１２】
0005841439.tif 000021
【図１３】
0005841439.tif 000022
【図１４】
0005841439.tif 000023
【図１５】
0005841439.tif 000024
【図１６】
0005841439.tif 000025
【図１７】
0005841439.tif 000026
【図１８】
0005841439.tif 000027
【図１９】
0005841439.tif 000028